(57)【要約】      （修正有）【課題】ケーシング内側の圧力がケーシング外側の圧力より小さくなった場合でも、ケーシング外側からケーシング内側への水の浸入を阻むスタータを提供する。【解決手段】スタータは、開口６を下側に有するケーシング５とパイプ１０とを備える。パイプ１０は、開口６の下側に配され、一端部が開口外縁６ａに密着固定され、ケーシング内側７とケーシング外側８とを連通させる通路９が形成されている。通路９の内周壁には、弁孔１３を囲む弁座１２が設けられている。そして、この弁座１２の下側に弁体１１が保持されている。そして、この弁体１１は、ケーシング内側７の圧力がケーシング外側８の圧力より小さくなると上側に移動して弁孔１３を封鎖するように弁座１２に着座する。このため、ケーシング内側７の圧力がケーシング外側８の圧力より小さくなった場合でも、ケーシング外側８からケーシング内側７への水の浸入を阻むことができる。【選択図】図３
2015151952.tif 000002
【特許請求の範囲】
【請求項１】
内側と外側とを連通する開口(６)を下側に有するケーシング（５）と、
前記開口（６）の下側に配され、一端部が前記開口外縁（６ａ）に密着固定され、内部に下側に向かって伸びるとともにケーシング内側(７)とケーシング外側（８）とを連通させる通路（９）が形成されたパイプ（１０）とを備えるスタータ（１）において、
前記通路（９）の内周壁には、流体の通過を許容する弁孔（１３）を囲む弁座（１２）が設けられ、この弁座（１２）の下側に前記弁孔（１３）における流体の通過が可能となるように弁体（１１）が保持され、この弁体（１１）は、前記ケーシング内側（７）の圧力が前記ケーシング外側（８）の圧力より小さくなると上側に移動して前記弁孔（１３）を封鎖するように前記弁座（１２）に着座することを特徴とするスタータ（１）。
【請求項２】
請求項１に記載のスタータ（１）において、
前記弁体（１１）は球体であることを特徴とするスタータ（１）。
【請求項３】
請求項１または請求項２に記載のスタータ（１）において、
前記パイプ（１０）はゴム製であることを特徴とするスタータ（１）。
【発明の詳細な説明】
【技術分野】
【０００１】
本発明は、エンジンを始動するスタータに関する。
【背景技術】
【０００２】
従来から、スタータでは、ケーシング内側に溜まった水やブラシ粉をケーシング外側に排出させるための排出用のパイプを備えるものが公知である（例えば、特許文献１参照。）。
すなわち、特許文献１のスタータによれば、内側と外側とを連通する開口を下側に有するケーシングと、開口の下側に配され、一端部が開口外縁に密着固定され、内部に下側に向かって伸びるとともにケーシング内側とケーシング外側とを連通させる通路が形成されたパイプとを備えている。
【０００３】
特許文献１のスタータによれば、通路を介してケーシング内側が常時ケーシング外側に開放された状態となっている。そして、スタータが被水し冷却された場合、ケーシング内側の圧力がケーシング外側の圧力より小さくなってしまうことがある。この場合、ケーシング外側に付着した水がパイプを通じてケーシング内側に吸い込まれてしまう問題がある。
【先行技術文献】
【特許文献】
【０００４】
【特許文献１】特開２００９−１１４９４０号公報
【発明の概要】
【発明が解決しようとする課題】
【０００５】
本発明は、上記の問題点を解決するためになされたものであり、その目的は、ケーシング内側の圧力がケーシング外側の圧力より小さくなった場合でも、ケーシング外側からケーシング内側への水の浸入を阻むことにある。
【課題を解決するための手段】
【０００６】
本願発明によれば、スタータは、内側と外側とを連通する開口を下側に有するケーシングとパイプとを備える。
パイプは、開口の下側に配され、一端部が開口外縁に密着固定され、内部に下側に向かって伸びるとともにケーシング内側とケーシング外側とを連通させる通路が形成されている。
【０００７】
パイプに設けられた通路の内周壁には、流体の通過を許容する弁孔を囲む弁座が設けられている。そして、この弁座の下側に弁孔における流体の通過が可能となるように弁体が保持されている。そして、この弁体は、ケーシング内側の圧力がケーシング外側の圧力より小さくなると上側に移動して弁孔を封鎖するように弁座に着座する。
【０００８】
これにより、弁体は、ケーシング内側の圧力がケーシング外側の圧力より小さくなった際に通路を封鎖する。すなわち、パイプは、ケーシング内側の圧力がケーシング外側の圧力より小さくなった際にケーシング内側とケーシング外側の連通を遮断するいわゆる逆止弁の機能を有している。
このため、ケーシング内側の圧力がケーシング外側の圧力より小さくなった場合でも、ケーシング外側からケーシング内側への水の浸入を阻むことができる。
【図面の簡単な説明】
【０００９】
【図１】スタータの説明図である（実施例）。
【図２】パイプの説明図である（実施例）。
【図３】ケーシングへ装着されたパイプの説明図である（実施例）。
【発明を実施するための形態】
【００１０】
以下、発明を実施するための形態を実施例に基づいて説明する。
【実施例】
【００１１】
〔実施例の構成〕
実施例のスタータ１の構成を、図を用いて説明する。
スタータ１は、図１に示すように、電磁スイッチ２と、モータ３を有している。
電磁スイッチ２は、バッテリ（図示せず。）からモータ３に電流を供給するとともに、ピニオン４をエンジンのリングギア（図示せず。）に噛合させるための駆動力を発生させるものである。
【００１２】
モータ３は、電磁スイッチ２を介して電流を供給されることでエンジンを始動させるための回転力を発生させるものであり、電磁スイッチ２の下側に配されている。
モータ３は、金属製のケーシング５によって覆われており、このケーシング５は内側と外側とを連通する円形の開口６を下側に有している。
【００１３】
また、図１、３に示すように、開口６の下側には、一端部がケーシング５に固定され、内部に下側に向かって伸びるとともにケーシング内側７とケーシング外側８とを連通させる通路９が形成されたパイプ１０が配されている。
そして、このパイプ１０の通路９を通じてケーシング内側７に溜まった水やブラシ粉をケーシング外側８に排出する。
【００１４】
ここで、パイプ１０の構成について図２を用いて説明する。
パイプ１０は、ゴム製であり、上側の円筒体１０ａと下側の角筒体１０ｂから形成されており内部に通路９が形成されている。そして、通路９の内部には弁として作用するゴム製球体の弁体１１が角筒体１０ｂより抜け落ちないように角筒体１０ｂの内壁に接触して保持されている（図中通常時の位置）。ここで、弁体１１の直径は角筒体１０ｂの対向する内壁間の最短距離より大きく、対向する内壁間の最大距離より小さく設定されている。このため、角筒体１０ｂの内壁に弁体が接触していても、角筒体１０ｂの内壁と弁体１１との間に隙間が形成されるため、通路９が封鎖されることはない。
【００１５】
一方、円筒体１０ａの内壁の直径は、弁体１０の直径より小さく設定されている。このため、円筒体１０ａの内壁に弁体１１が接触した場合、通路９は封鎖される。よって、円筒体１０ａの下端は弁体１１が上側に移動した際の弁体１１の着座する弁座１２となっている（図中上側移動時の位置）。
換言すると、弁体１１が下側に位置する状態において通路９は封鎖されていない状態であり、弁体１１が上側に移動し弁座１２に着座すると通路９は弁体１１により封鎖されている状態である。
【００１６】
よって、通路９の内周壁には、流体の通過を許容する弁孔１３を囲む弁座１２が設けられ、この弁座１２の下側に弁孔１３における流体の通過が可能となるように弁体１１が保持されている。
そして、弁体１１は、ケーシング内側７の圧力がケーシング外側８の圧力より小さくなると圧力差により上側に移動して弁孔１３を封鎖するように弁座１２に着座する。
【００１７】
なお、パイプ１０の上端部には周知の樹脂製の接続部材１０ｃが埋め込まれており、接続部材１０ｃの上端爪部を開口６に挿通させケーシング５の内壁に係合させることで、図３に示すようにパイプ１０は、ケーシング５の開口外縁６ａに密着固定されている。
【００１８】
〔実施例の効果〕
実施例のスタータ１によれば、パイプ１０に設けられた通路９の内周壁には、流体の通過を許容する弁孔１３を囲む弁座１２が設けられている。そして、この弁座１２の下側に弁孔１３における流体の通過が可能となるように弁体１１が保持されている。そして、この弁体１１は、ケーシング内側７の圧力がケーシング外側８の圧力より小さくなると上側に移動して弁孔１３を封鎖するように弁座１２に着座する。
【００１９】
これにより、弁体１１は、ケーシング内側７の圧力がケーシング外側８の圧力より小さくなった際に通路９を封鎖する。すなわち、パイプ１０は、ケーシング内側７の圧力がケーシング外側８の圧力より小さくなった際にケーシング内側７とケーシング外側８の連通を遮断するいわゆる逆止弁の機能を有している。
このため、ケーシング内側７の圧力がケーシング外側８の圧力より小さくなった場合でも、ケーシング外側８からケーシング内側７への水の浸入を阻むことができる。
【００２０】
また、弁体１１は球体であるため方向性を気にせず通路９に配置することができるため、パイプ１０内への組み付けが容易である。
また、パイプ１０はゴム製であるため容易に変形させることができ、パイプ１０形成後に、パイプ１０の外部から弁体１１を圧入することにより通路に弁体１１を配置することができる。
【００２１】
［変形例］
本発明は、その要旨を逸脱しない範囲で様々な変形例を考えることができる。
実施例によれば、弁体１１は球体であったが、この態様にこだわるものではない。例えば、弁体１１を通路９に固定される舌片弾性体としてもよい。
またパイプ１０は接続部材１０ｃによりケーシング５に固定されていたが、開口外縁６ａに密着固定されるものであればどのような固定態様であってもよく、例えば、クランプ等によって締結固定されるものであってもよい。
【符号の説明】
【００２２】
１  スタータ  ５  ケーシング  ６  開口  ６ａ  開口外縁  ７ケーシング内側
８  ケーシング外側  ９  通路  １０  パイプ  １１  弁体  １２  弁座  １３弁孔
【図１】
2015151952.tif 000003
【図２】
2015151952.tif 000004
【図３】
2015151952.tif 000005